(57)【要約】【課題】部品点数を削減し、製造工程を簡素化することで、安価で生産性或いは使用性の良い電気掃除機用集塵袋およびこれを用いた電気掃除機を提供すること。【解決手段】吸入口３を有するとともに通気性および可撓性を有する樹脂不織布で形成された袋状体２からなる集塵袋１において、前記吸入口３縁部より所定位置離れた部分を内方に折り畳む折返し部４を形成し、折返し後の前記吸入口３外周部を硬化させて支持部５を形成することにより、支持部５となる別部材を必要としないため、部品点数を削減し、製造工程を簡素化することで、安価で生産性或いは使用性の良いものとなる。【選択図】図１
2007319582.tif 000002
【特許請求の範囲】
【請求項１】
吸入口を有するとともに通気性および可撓性を有する樹脂不織布で形成された袋状体からなる集塵袋において、前記吸入口縁部より所定位置離れた部分を内方に折り畳む折返し部を形成し、折返し後の前記吸入口外周部を硬化させて支持部を形成したことを特徴とする電気掃除機用集塵袋。
【請求項２】
塵埃吸引用の電動送風機を内蔵し、請求項１に記載された電気掃除機用集塵袋を収納する集塵室と、前記集塵袋に形成した支持部を保持するための保持部を備えた電気掃除機。
【発明の詳細な説明】
【技術分野】
【０００１】
本発明は、電気掃除機に使用される集塵袋およびこれを用いた電気掃除機に関するものである。
【背景技術】
【０００２】
従来、この種の電気掃除機用集塵袋は、塵埃廃棄時の取扱い性や衛生面などの利点により、使い捨てタイプの紙製集塵袋が多く用いられている（例えば、特許文献１参照）。
【０００３】
図６、７は、特許文献１に記載された従来の電気掃除機用の集塵袋を示すものである。
【０００４】
図６、図７において、開口５０を有するとともに通気性を有する紙袋５１と、この紙袋５１の前記開口５０縁に接着によって取り付けられるとともに吸塵口５２が形成された枠板部材５３とからなる集塵袋５４において、前記枠板部材５３を厚紙によって形成するとともに、この枠板部材５３の少なくとも前記紙袋５１の開口５０縁を接着する接着側の表層面部に厚紙の繊維同志の結合を高める強化剤５５を施すことにより構成されている。
【０００５】
そして、上記集塵袋５４は前記枠板部材５３の外周上下端部を電気掃除機本体内に形成された集塵室に開口する塵埃を吸込む吸気口を境に下方の位置決め部と、上方に配設された係止手段により係止させて集塵室内に固定される。掃除を行なう場合は、電動送風機の吸引により床用吸込具の吸込み口より吸引気流とともに塵埃が前記集塵袋５４内に吸塵され、塵埃は前記集塵袋５４で捕捉され吸引気流は前記紙袋５１を通過して掃除機本体の排気口より外部に排気されながら掃除が行なわれるようになっている。
【特許文献１】特開２００１−１２８９０７号公報
【発明の開示】
【発明が解決しようとする課題】
【０００６】
しかしながら、前記従来の構成では、集塵袋５４を掃除機本体内の集塵室内に保持するための枠板部材５３等の別部品を接着剤等により貼り付けて構成するため、部品点数が多くなるとともに、接着強度を確保するために高価な接着剤を使用しなければならず、コストアップの要因の１つでもあった。
【０００７】
また、枠板部材５３の接着に伴う接着位置の規制など、組立て性や生産性が悪いという課題を有するものであった。
【０００８】
本発明は、前記従来の課題を解決するもので、部品点数を削減し、製造工程を簡素化することで、安価で生産性或いは使用性の良い電気掃除機用集塵袋およびこれを用いた電気掃除機を提供することを目的とする。
【課題を解決するための手段】
【０００９】
前記従来の課題を解決するために、本発明の電気掃除機用集塵袋およびこれを用いた電気掃除機は、吸入口を有するとともに通気性および可撓性を有する樹脂不織布で形成された袋状体からなる集塵袋において、前記吸入口縁部より所定位置離れた部分を内方に折り畳む折返し部を形成し、折返し後の前記吸入口外周部を硬化させて支持部を形成したものである。
【００１０】
これによって、支持部となる別部材を必要としないため、部品点数を削減し、製造工程を簡素化することで、安価で生産性或いは使用性の良い電気掃除機用集塵袋およびこれを用いた電気掃除機を提供することができるものとなる。
【発明の効果】
【００１１】
本発明の電気掃除機用集塵袋は、安価なものとすることができる。
【発明を実施するための最良の形態】
【００１２】
第１の発明は、吸入口を有するとともに通気性および可撓性を有する樹脂不織布で形成された袋状体からなる集塵袋において、前記吸入口縁部より所定位置離れた部分を内方に折り畳む折返し部を形成し、折返し後の前記吸入口外周部を硬化させて支持部を形成したものとすることにより、支持部となる別部材を必要としないため、部品点数を削減し、製造工程を簡素化することで、安価で生産性或いは使用性の良い電気掃除機用集塵袋とすることができる。
【００１３】
第２の発明は、塵埃吸引用の電動送風機を内蔵し、第１の発明の電気掃除機用集塵袋を収納する集塵室と、前記集塵袋に形成した支持部を保持するための保持部を備えた電気掃除機とすることにより、安価で使用性の高い集塵フィルターを使用することにより、電気掃除機自体のコストを低減できるものである。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における電気掃除機用集塵袋の斜視図であり、図２は、同集塵袋の断面図である。
【００１６】
図１、図２において、集塵袋１は、通気性および可撓性を有する樹脂不織布で形成された袋状体２と、袋状体２に配設された吸引空気を取り入れる吸入口３とで構成されている。そして、吸入口３縁部より所定位置離れた左右部分には、袋状体２をその内方側に折り畳むように折返し部４を形成し、折返し後の吸入口３外周面（図中網掛け部）および折返し部４の吸入口３側の面を溶着等により硬化させることで集塵袋１を掃除機本体１２内の集塵室１５に保持するための支持部５を形成したものである。
【００１７】
図３は電気掃除機の全体斜視図を示すものである。
【００１８】
図３において、電気掃除機６は延長管７に接続した被掃除面上の塵埃を吸引する床用吸込具８を有し、該延長管７は手元ハンドル９とホース継手１０付きのホース１１とを介して掃除機本体１２（以下、本体１２とする）に連結されている。本体１２は、底面に枢支された１個の前輪キャスター１３と、本体１２の後部両側面に回転自在に取り付けた一対の後輪１４とを備えている。
【００１９】
図４、図５に示すように、本体１２の内部前方には集塵袋１を収容する集塵室１５が形成され、上本体１６に回動自在に軸支された蓋体１７で開閉自在に覆われている。集塵室１５の前方部には集塵袋１に形成した支持部５に密着した吸気口弁１８を挟持して前蓋１９が取り付けられている。前蓋１９の略中央には吸気口１９ａが集塵室１５に連通して一体に形成され、ホース継手１０が着脱自在に接続される。
【００２０】
集塵室１５の後方には、隔壁２０にて集塵室１５と前後に区画された電動送風機室２１、コードリール室（図示せず）が並列に形成されている。前記電動送風機室２１とコードリール室は後輪１４を取り付けた下本体２２上本体１６と電動送風機２３に吸引された気流の出口を形成したリヤカバー（図示せず）とで外郭を構成している。電動送風機室２１内には、電動送風機２３の動作時の振動を本体１２へ直接伝播しないように前支持ゴム２４と後支持ゴム２５で前後を保持した電動送風機２３が収容されている。また、電動送風機２３前方の隔壁２０には通気孔２６が形成されていて、電動送風機２３と集塵室１５を連通している。下本体２２は本体１２の外郭を構成する部品としては最も体積が大きく、本体１２を軽量化して使い勝手を良くするため、ＰＰで形成されている。
【００２１】
剛性の高いポリアセタール（ＰＯＭ）製の支持部押え２７は、集塵室１５内の吸気口弁１８の上方で下本体２２に回動自在に軸支されており、バネ２８により電動送風機２３側に回動するように付勢されている。上部のフック２９は軸支部上方で左右に分岐するよう形成され、支持部５を係止するフック爪３０を有している。集塵袋１は支持部５下端部を下本体２２の集塵室１５前部に形成したガイド３１で位置決めした後、支持部５の上方側を前蓋１９側に回動させ、支持部５の左右の上端部を支持部押え２７に形成した一対のフック２９に係止される。
【００２２】
３２は蓋体１７の内面前方に形成された一対の係合リブで、支持部押え２７に集塵袋１の支持部５をフックしていない時に、蓋体１７を閉じる動作で自動的にフックさせるべく、電動送風機２３側で底面側への出代が大きくなる傾斜した支持部案内リブ３３に直交して形成されている。係合リブ３２の後方中央側には係合リブ３２に連なって係合突起リブ３４が形成されている。係合リブ３２と係合突起リブ３４は支持部押え２７のフック２９に相対し、支持部５の上端をフック２９に係止している状態では、蓋体１７を閉じると係合リブ３２がフック２９の直後に位置することとなり、蓋体１７は正常に閉じることとなる。
【００２３】
次に、上記構成における動作、作用について説明する。
【００２４】
電動送風機２３を運転状態にすると、床用吸込具８から吸塵される含塵気流は、延長管７、ホース１１、吸気口１９ａを経由して集塵袋１内に流入し、塵埃だけが集塵袋１で捕集され、清浄化された気流は集塵室１５、通気孔２６を通過して電動送風機２３に吸引される。電動送風機２３を通過した気流は、電動送風機室２１を経由してリヤカバーより排出されることとなる。
【００２５】
ところで、集塵袋１の支持部５は袋状体２そのもので構成することで支持部５を形成しているため、集塵袋１を本体１２の集塵室１５内に取り付け、支持させるための別部品を必要とせず部品点数を削減できるものである。また、集塵袋１の製造工程を簡素化することができ結果、生産性の向上が期待できるものである。そして総合的にコストの低減を実現するとともに、同一部品で袋状体２と支持部５を形成することにより、支持部材等の貼付位置の規制などが不要となり、製造工程における管理項目の効率化も実現できるものである。
【００２６】
なお、上述の実施の形態では吸入口３に対して左右部分側に折返し部４を設けた構成として説明したが、上下方向に折返し部４を設けても良く、要は掃除機本体の吸気口１９ａの形状等により適宜その外形形状を合わせるようにすればよいものである。
【産業上の利用可能性】
【００２７】
以上のように、本発明にかかる電気掃除機用集塵袋およびこれを用いた電気掃除機は、安価で生産性を向上できるとともに、使い勝手も向上でき、家庭用、業務用の各種器具、機器、装置に適応できるものである。
【図面の簡単な説明】
【００２８】
【図１】本発明の実施の形態１における電気掃除機用集塵袋の斜視図
【図２】同電気掃除機用集塵袋の横断面図
【図３】同電気掃除機の全体斜視図
【図４】同電気掃除機の要部中央断面図
【図５】同電気掃除機本体の要部断面図
【図６】従来の電気掃除機用集塵袋の分解斜視図
【図７】同集塵袋の横断面図
【符号の説明】
【００２９】
１  集塵袋
２  袋状体
３  吸入口
４  折返し部
５  支持部
【図１】
2007319582.tif 000003
【図２】
2007319582.tif 000004
【図３】
2007319582.tif 000005
【図４】
2007319582.tif 000006
【図５】
2007319582.tif 000007
【図６】
2007319582.tif 000008
【図７】
2007319582.tif 000009